(57)【要約】【課題】乗換案内提供システムにおいて、乗換情報を検索する際に降車駅等の入力を簡便なものにし、また、ユーザの現在位置に対応した乗換情報を提供できるようにする。【解決手段】乗車券販売機１１０は、降車駅名等と情報配信サーバ１２０のアドレスとのＱＲコードが印字された乗車券を発券する。携帯端末１００は、乗車券のＱＲコードから降車駅名等と情報配信サーバ１２０のアドレスとの情報を読み取り、また、ＧＰＳ装置を使用して現在位置を検出する。携帯端末１００は情報配信サーバ１２０のアドレスを使用して、情報配信サーバ１２０と接続し、情報配信サーバ１２０に降車駅名等の情報と現在位置の情報とを送信する。情報配信サーバ１２０は、降車駅等と現在位置とに対応する乗換情報を検索し、携帯端末１００に送信する。携帯端末１００は受信した乗換情報を表示する。【選択図】図１
2007334544.tif 000002
【特許請求の範囲】
【請求項１】
乗換情報を格納する乗換情報配信サーバと、乗換情報を閲覧可能な端末と、乗車券販売機と、から構成される乗換案内提供システムであって、
前記乗車券販売機は、
降車駅のコードが形成された乗車券を発券する発券手段を備え、
前記端末は、
前記発券手段により発券された乗車券に形成されたコードを復号化する復号化手段と、
前記乗換情報配信サーバと接続し、前記復号化手段により復号化された降車駅を示す情報を送信する第１の送信手段と、を備え、
前記乗換情報配信サーバは、
前記端末の現在位置を判別する判別手段と、
前記第１の送信手段により送信された降車駅を示す情報と、前記判別手段により判別された前記端末の現在位置の情報と、に対応した乗換情報を検索し、前記端末に送信する第２の送信手段を備え、
前記端末は、前記第２の送信手段により送信された乗換情報を表示する表示手段を備える、
ことを特徴とする乗換案内提供システム。
【請求項２】
前記発券手段は、
降車駅を示す情報を符号化した二次元コードが印刷された乗車券を発券し、
前記復号化手段は、
前記発券手段によって発券された乗車券に印刷された二次元コードを読み取り、復号化する、
ことを特徴とする請求項１記載の乗換案内提供システム。
【請求項３】
前記乗換情報配信サーバは、現在位置から降車駅までの所要時間を算出し、該所要時間を含む乗換情報を前記端末に提供する、
ことを特徴とする請求項１又は２記載の乗換案内提供システム。
【請求項４】
前記発券手段は、
前記乗換情報配信サーバのアドレスのコードが前記降車駅のコードと共に形成された乗車券を発券し、
前記復号化手段は、
前記乗車券に形成された前記乗換情報配信サーバのアドレスのコードを前記降車駅のコードと共に復号化し、
前記第１の送信手段は、
前記復号化手段により復号化された前記乗換情報配信サーバのアドレスを使用して、前記乗換情報配信サーバと接続し、前記複号化手段により複号化された降車駅を示す情報を送信する、
ことを特徴とする請求項１、２又は３記載の乗換案内提供システム。
【請求項５】
前記端末は、該端末の現在位置を検出し、該現在位置の情報を前記乗換情報配信サーバに送信する第３の送信手段を備え、
前記乗換情報配信サーバの前記判別手段は、前記第３の送信手段により送信された前記端末の現在位置の情報を受信し、受信した該情報に基づいて前記端末の現在位置を判別する、
ことを特徴とする請求項１乃至４の何れか一項に記載の乗換案内提供システム。
【請求項６】
前記端末は、
全地球測位システム受信装置を備え、該全地球測位システム受信装置を使用して該端末の現在位置を検出する、
ことを特徴とする請求項５記載の乗換案内提供システム。
【請求項７】
前記端末は、自己に対応する識別情報を備え、
前記乗換情報配信サーバは、
識別情報に対応する端末の現在位置情報を格納する格納手段を備え、
前記端末は、
該端末に対応する前記識別情報を前記乗換情報配信サーバに送信する第４の送信手段を備え、
前記乗換情報配信サーバの前記判別手段は、
前記第４の送信手段により送信された識別情報に対応する、前記端末の現在位置情報を前記格納手段から検索し、該端末の現在位置を判別する、
ことを特徴とする請求項１乃至４の何れか一項に記載の乗換案内提供システム。
【請求項８】
前記乗換情報配信サーバは、駅別の時刻表情報を格納し、前記乗換情報と併せて該駅別の時刻表情報を前記端末に配信する、
ことを特徴とする請求項１乃至７の何れか一項に記載の乗換案内提供システム。
【請求項９】
前記乗換情報配信サーバは、路線別の時刻表情報を格納し、前記乗換情報と併せて該路線別の時刻表情報を前記端末に配信する、
ことを特徴とする請求項１乃至８の何れか一項に記載の乗換案内提供システム。
【請求項１０】
前記乗換情報配信サーバは、第１の路線情報を記憶する手段を備え、
前記乗車券販売機は、
第２の路線情報を記憶する手段と、
ユーザが降車駅を選択する際に、前記第２の路線情報を提示する手段と、
前記乗換情報配信サーバと接続し、前記第１の路線情報を取得し、前記第２の路線情報を前記第１の路線情報に更新する手段と、を備える、
ことを特徴とする請求項１乃至９の何れか一項に記載の乗換案内提供システム。
【請求項１１】
路線情報を格納する格納手段と、
前記格納手段により格納されている路線情報を外部装置から取得した路線情報に更新する更新手段と、
ユーザが降車駅を選択する際に、前記格納手段により格納されている路線情報を提示する提示手段と、
前記提示手段により提示された路線情報に基づいてユーザに選択された降車駅のコードが形式された乗車券を発券する発券手段と、を備える、
ことを特徴とする乗車券販売機。
【発明の詳細な説明】
【技術分野】
【０００１】
本発明は、乗換案内提供システム及び乗車券販売機に関する。
【背景技術】
【０００２】
現在、携帯端末等に乗換路線情報や乗車時刻表情報等の乗換情報を提供する乗換案内提供システムが知られている（例えば、特許文献１参照）。
【０００３】
この種のシステムでは、ユーザが携帯端末等にパラメータとして乗車駅や降車駅を手入力し、それらの情報からサーバが乗換路線情報や乗車時刻表等の乗換情報を検索する。
【０００４】
しかし、入力するパラメータが乗車駅や降車駅のみであったので、検索された乗換情報には、ユーザの現在位置が考慮されていなかった。従って、従来のシステムでは、ユーザの現在位置に対応する乗換情報を提供することはできなかった。例えば、ユーザが実際に乗車駅・降車駅間の路線に乗車している場合、次に乗車する路線の情報を提供することができなかった。
【０００５】
それに加えて、検索に必要な情報を手入力していたため、操作が煩雑であり、利用者にとって使いやすいものではなかった。
【特許文献１】特開２００３−５８６６３号公報
【発明の開示】
【発明が解決しようとする課題】
【０００６】
本発明は、上記問題点に鑑みてなされたもので、検索に必要な情報を手入力する必要のない、且つ、ユーザの現在位置に対応する乗換情報を提供する乗換案内提供システムを提供することを目的とする。
【課題を解決するための手段】
【０００７】
上記目的を達成するため、本発明の第１の観点に係る乗換案内提供システムは、
乗換情報を格納する乗換情報配信サーバと、乗換情報を閲覧可能な端末と、乗車券販売機と、から構成される乗換案内提供システムであって、
前記乗車券販売機は、降車駅のコードが形成された乗車券を発券する発券手段を備え、
前記端末は、
前記発券手段により発券された乗車券に形成されたコードを復号化する復号化手段と、
前記乗換情報配信サーバと接続し、前記復号化手段により復号化された降車駅を示す情報を送信する第１の送信手段と、を備え、
前記乗換情報配信サーバは、
前記端末の現在位置を判別する判別手段と、
前記第１の送信手段により送信された降車駅を示す情報と、前記判別手段により判別された前記端末の現在位置の情報と、に対応した乗換情報を検索し、前記端末に送信する第２の送信手段を備え、
前記端末は、前記第２の送信手段により送信された乗換情報を表示する表示手段を備える、
ことを特徴とする。
【０００８】
例えば、前記発券手段は、
降車駅を示す情報を符号化した二次元コードが印刷された乗車券を発券し、
前記復号化手段は、
前記発券手段によって発券された乗車券に印刷された二次元コードを読み取り、復号化する、
ことを特徴としてもよい。
【０００９】
例えば、前記乗換情報配信サーバは、現在位置から降車駅までの所要時間を算出し、該所要時間を含む乗換情報を前記端末に提供する、
ことを特徴としてもよい。
【００１０】
例えば、前記発券手段は、前記乗換情報配信サーバのアドレスのコードが前記降車駅のコードと共に形成された乗車券を発券し、
前記復号化手段は、前記乗車券に形成された前記乗換情報配信サーバのアドレスのコードを前記降車駅のコードと共に復号化し、
前記第１の送信手段は、前記復号化手段により復号化された前記乗換情報配信サーバのアドレスを使用して、前記乗換情報配信サーバと接続し、前記複号化手段により複号化された降車駅を示す情報を送信する、
ことを特徴としてもよい。
【００１１】
例えば、前記端末は、該端末の現在位置を検出し、該現在位置の情報を前記乗換情報配信サーバに送信する第３の送信手段を備え、
前記乗換情報配信サーバの前記判別手段は、前記第３の送信手段により送信された前記端末の現在位置の情報を受信し、受信した該情報に基づいて前記端末の現在位置を判別する、
ことを特徴としてもよい。
【００１２】
例えば、前記端末は、全地球測位システム受信装置を備え、該全地球測位システム受信装置を使用して該端末の現在位置を検出する、
ことを特徴としてもよい。
【００１３】
例えば、前記端末は、自己に対応する識別情報を備え、
前記乗換情報配信サーバは、
識別情報に対応する端末の現在位置情報を格納する格納手段を備え、
前記端末は、
該端末に対応する前記識別情報を前記乗換情報配信サーバに送信する第４の送信手段を備え、
前記乗換情報配信サーバの前記判別手段は、
前記第４の送信手段により送信された識別情報に対応する、前記端末の現在位置情報を前記格納手段から検索し、該端末の現在位置を判別する、
ことを特徴としてもよい。
【００１４】
例えば、前記乗換情報配信サーバは、駅別の時刻表情報を格納し、前記乗換情報と併せて該駅別の時刻表情報を前記端末に配信する、
ことを特徴としてもよい。
【００１５】
例えば、前記乗換情報配信サーバは、路線別の時刻表情報を格納し、前記乗換情報と併せて該路線別の時刻表情報を前記端末に配信する、
ことを特徴としてもよい。
【００１６】
例えば、前記乗換情報配信サーバは、第１の路線情報を記憶する手段を備え、
前記乗車券販売機は、
第２の路線情報を記憶する手段と、
ユーザが降車駅を選択する際に、前記第２の路線情報を提示する手段と、
前記乗換情報配信サーバと接続し、前記第１の路線情報を取得し、前記第２の路線情報を前記第１の路線情報に更新する手段と、を備える、
ことを特徴としてもよい。
【００１７】
本発明の第２の観点に係る乗車券販売機は、
路線情報を格納する格納手段と、
前記格納手段により格納されている路線情報を外部装置から取得した路線情報に更新する更新手段と、
ユーザが降車駅を選択する際に、前記格納手段により格納されている路線情報を提示する提示手段と、
前記提示手段により提示された路線情報に基づいてユーザに選択された降車駅のコードが形式された乗車券を発券する発券手段と、を備える、
ことを特徴とする。
【発明の効果】
【００１８】
本発明によれば、乗換案内提供システムにおいて、検索に必要な情報を手入力する必要がなく、且つ、ユーザの現在位置に対応する乗換情報を提供できる。
【発明を実施するための最良の形態】
【００１９】
（第１の実施形態）
以下、本発明の第１の実施形態に係る乗換案内提供システム１０００を説明する。この乗換案内提供システム１０００は、図１に示すように、携帯端末１００と、乗車券販売機１１０と、情報配信サーバ１２０と、ネットワーク１３０と、から構成される。
【００２０】
携帯端末１００は、ＱＲ（Quick Response）コード付乗車券から読み取った乗車駅と降車駅と経路とを示す情報と携帯端末１００が検出した現在位置情報とをそれぞれ情報配信サーバ１２０に送信し、それに応じて情報配信サーバ１２０から返信された乗換情報を受信し、表示する。
【００２１】
携帯端末１００は、図２に示すように、ＧＰＳ受信部１０１１と、ＧＰＳ入力部１０１２と、出力装置１０２１と、出力制御部１０２２と、無線送受信部１０３１と、通信制御部１０３２と、ＱＲコード読み取り部１０４１と、ＱＲコード入力部１０４２と、制御部１０５と、記憶部１０６と、操作部１０７と、から構成される。
【００２２】
ＧＰＳ（Global Positioning System）受信部１０１１は、人工衛星からＧＰＳ信号を受信し、受信したＧＰＳ信号をＧＰＳ入力部１０１２に入力する。
【００２３】
ＧＰＳ入力部１０１２は、ＧＰＳ受信部１０１１からＧＰＳ信号を取得し、復調処理し、制御部１０５に入力する。
【００２４】
出力装置１０２１は、乗換情報などを表示する。例えば、出力装置１０２１は、ＬＣＤ（Liquid Crystal Display）、有機ＥＬ（Electroluminescence）等のディスプレイ及びスピーカなどから構成される。
【００２５】
出力制御部１０２２は、制御部１０５の制御のもと、乗換情報などのデータを出力装置１０２１が出力可能なデータ形式に変換し、出力装置１０２１に供給する。
【００２６】
無線送受信部１０３１は、ネットワーク１３０を介して情報配信サーバ１２０とデータの送受信を行う。
【００２７】
通信制御部１０３２は、無線送受信部１０３１からデータを取得し、復調処理し、制御部１０５に入力する。また、通信制御部１０３２は、制御部１０５からデータを取得し、変調処理し、無線送受信部１０３１に入力する。
【００２８】
ＱＲコード読み取り部１０４１は、ＱＲコードを読み取れるリーダ、もしくはＱＲコードを読み取れるように構成されたカメラ機構等からなり、後述するＱＲコードを読み取り、ＱＲコード入力部１０４２に入力する。
【００２９】
ＱＲコード入力部１０４２は、ＱＲコード読み取り部１０４１からＱＲコードを取得し、取得したＱＲコードから情報を抽出し、制御部１０５に入力する。
【００３０】
制御部１０５は、ＣＰＵ（Central Processing Unit）から構成され、記憶部１０６に記憶されたＯＳ（Operating System）や制御プログラムを読み出して実行し、携帯端末１００全体を制御する。詳細については後述する。
【００３１】
記憶部１０６は、ハードディスク装置、ＲＡＭ（Random Access Memory）、ＲＯＭ（Read Only Memory）などから構成され、ＯＳ（Operating System）、制御プログラムと種々のデータを記憶する。
【００３２】
操作部１０７は、操作キー等から構成される。操作部１０７は、ユーザから操作を受け付け、操作に応じた操作信号を制御部１０５に送出する。
【００３３】
図１に示す乗車券販売機１１０は、ユーザによる乗車駅と降車駅と経路の選択に応じて、乗車駅と降車駅と経路と情報配信サーバ１２０のアドレスとを示す情報をＱＲコード化し、そのＱＲコードが印刷されたＱＲコード付乗車券を発券する。また、定期的に情報配信サーバ１２０に最新の駅情報と路線情報とを要求し、受信し、後述するデータベースを更新する。
【００３４】
乗車券販売機１１０は、図３に示されるように、現金処理部１１１と、操作部１１２と、制御部１１３と、通信制御部１１４と、データベース１１５と、記憶部１１６と、プリンタ制御部１１７１と、プリンタ１１７２と、出力制御部１１８１と、出力装置１１８２と、から構成される。
【００３５】
現金処理部１１１は、紙幣及び硬貨等の貨幣を受け付け、受け付けた貨幣の額に応じた信号を制御部１１３に送出する。
【００３６】
操作部１１２は、タッチパネルや操作キー等から構成される。操作部１１２は、ユーザから操作を受け付け、操作に応じた操作信号を制御部１１３に送出する。例えば、ユーザは、操作部１１２を操作して乗車駅と降車駅と経路を選択する。
【００３７】
制御部１１３は、ＣＰＵ（Central Processing Unit）から構成され、記憶部１１６に記憶されたＯＳ（Operating System）や制御プログラムを読み出して実行し、乗車券販売機１１０全体を制御する。
具体的には、制御部１１３は、乗車駅と降車駅と経路と情報配信サーバ１２０のアドレスとを示す情報をＱＲコード化し、ＱＲコード付乗車券の発券に関する処理を行う。なお、詳細については後述する。
【００３８】
通信制御部１１４は、ネットワーク１３０を介して情報配信サーバ１２０との間でデータの送受信を行う。
【００３９】
データベース１１５は、乗車券販売機１１０が扱う駅名の情報（以下、駅名情報）と、それらの各駅を結ぶ路線の情報（以下、路線情報）と、から構成される。例えば、ユーザは、駅名情報と路線情報とを使用して乗車駅と降車駅と経路とを選択する。
【００４０】
記憶部１１６は、ハードディスク装置、ＲＡＭ（Random Access Memory）、ＲＯＭ（Read Only Memory）などから構成され、ＯＳ、制御プログラムと、種々のデータとを記憶する。
【００４１】
プリンタ制御部１１７１は、制御部１１３の制御のもと、ＱＲコード付乗車券に印刷する情報を、プリンタ１１７２が処理可能なデータ形式に変換し、プリンタ１１７２に入力する。
【００４２】
プリンタ１１７２は、プリンタ制御部１１７１から情報を取得し、ＱＲコード付乗車券を印刷する。
【００４３】
出力制御部１１８１は、制御部１１３の制御のもと、選択画面等のデータを出力装置１１８２が出力可能なデータ形式に変換し、出力装置１１８２に入力する。
【００４４】
出力装置１１８２は、選択画面等を表示する。例えば、出力装置１１８２は、ＬＣＤ（Liquid Crystal Display）、有機ＥＬ（Electroluminescence）等のディスプレイ及びスピーカ及びマイクロフォンなどから構成される。
【００４５】
ここで、図５に示される図は、乗車券販売機１１０から発券されたＱＲコード付乗車券１０の一例である。この図では、１１に示すように乗車駅は「○○駅」であり、１２に示すように降車駅は「××駅」であり、１３に示すように「△△駅」を経由することが印刷されている。また、ＱＲ（Quick Response）コード１４は、乗車駅と降車駅と経路と情報配信サーバ１２０のアドレスとの情報をＱＲコード化したものである。
【００４６】
図１に示す情報配信サーバ１２０は、携帯端末１００から乗車駅と降車駅と経路とを示す情報と現在位置情報とを受信すると、それらの情報に対応した乗換情報を検索し、検索した乗換情報を携帯端末１００に送信する。また、乗車券販売機１１０の要求に応答して、最新の駅名情報と路線情報とを送信する。
【００４７】
情報配信サーバ１２０は、図４に示されるように、制御部１２１と、記憶部１２２と、通信制御部１２３と、乗換路線情報データベース１２４と、時刻表情報データベース１２５と、から構成されている。ただし、点線で示された位置データベース１２６は、後述の第３の実施形態で使用され、後で説明する。
【００４８】
制御部１２１は、ＣＰＵ（Central Processing Unit）から構成され、記憶部１２２に記憶されたＯＳ（Operating System）や制御プログラムを読み出して実行し、情報配信サーバ１２０全体を制御する。
具体的には、制御部１２１は、乗車駅と降車駅と経路と現在位置に対応した乗換情報を乗換路線情報データベース１２４から検索する。なお、詳細については後述する。
【００４９】
記憶部１２２は、ハードディスク装置、ＲＡＭ（Random Access Memory）、ＲＯＭ（Read Only Memory）などから構成され、ＯＳ、所定の制御プログラムと、種々のデータとを記憶する。
【００５０】
通信制御部１２３は、ネットワーク１３０に接続され、他の装置との間でデータの送受信を行う。
【００５１】
乗換路線情報データベース１２４は、乗換情報のデータベースである。乗換路線情報データベース１２４から、乗車駅と降車駅と経路と現在位置とに対応する乗換情報を検索することができる。また、乗換路線情報データベース１２４は、最新の駅情報と路線情報とを含むデータベースである。
【００５２】
時刻表情報データベース１２５は、駅別、又は、路線別の時刻表を格納するデータベースである。携帯端末１００は、駅別、又は、路線別の時刻表に割り当てられたＵＲＬ（Uniform Resource Locator）にアクセスすることによって駅別、又は、路線別の時刻表をダウンロードすることができる。
【００５３】
ここで、図６に示される図は、図５に示されるＱＲコード付乗車券１０を使用して、「東北本線上  ●●駅手前」で、情報配信サーバ１２０にアクセスしたときの乗換情報２０の一例である。ＵＲＬ（Uniform Resource Locator）２１をクリックすることによって、●●駅の時刻表にアクセスできる。また、ＵＲＬ２２をクリックすることによって東北本線の時刻表にアクセスでき、ＵＲＬ２３をクリックすることによって京浜東北線の時刻表にアクセスすることができる。
【００５４】
次に、第１の実施形態に係る動作について図７〜９を参照しながら説明する。
【００５５】
始めに、乗車券販売機１１０が行うデータベース更新処理について説明する。乗車券販売機１１０は、情報配信サーバ１２０から最新の駅名情報と路線情報とを取得し、既存の駅名情報と路線情報とを替えて最新の駅名情報と路線情報とに更新する。以下のように制御部１１３は、定期的な割り込み処理で、図７に示すデータベース更新処理を行う。
【００５６】
先ず、制御部１１３は、通信制御部１１４を制御して、情報配信サーバ１２０に最新の駅情報と路線情報とを要求する（ステップＳ１）。情報配信サーバ１２０は、制御部１１３の要求に応答して格納している最新の駅名情報と路線情報とを返信する。
【００５７】
そして、乗車券販売機１１０は、情報配信サーバ１２０から最新の駅名情報と路線情報とを受信する（ステップＳ２）。
【００５８】
続いて、制御部１１３は、データベース１１５に格納されている駅名情報と路線情報とを最新の駅名情報と路線情報とに更新し（ステップＳ３）、処理を終了する。
【００５９】
次に、乗車券販売機１１０が行う乗車券販売処理について説明する。ユーザによる乗車駅、降車駅、経路の選択と、運賃の支払いとに応じて、乗車券販売機１１０は、ＱＲコード付乗車券を発券する。以下、図８に示す乗車券販売処理の説明を行う。
【００６０】
先ず、ユーザが、タッチパネルに触れるなどすると、制御部１１３は出力制御部１１８１を制御して出力装置１１８２に選択画面を表示させる（ステップＳ１１）。
【００６１】
ユーザは、駅名情報を使用して乗車駅を選択する（ステップＳ１２）。
【００６２】
ユーザは、駅名情報を使用して降車駅を選択する（ステップＳ１３）。
【００６３】
ユーザは、路線情報を使用して経路を選択する（ステップＳ１４）。
【００６４】
制御部１１３は、出力制御部１１８１を制御して出力装置１１８２に乗車駅、降車駅、経路に対応した運賃を表示する（ステップＳ１５）。
【００６５】
ユーザは、運賃を入金する（ステップＳ１６）。
【００６６】
制御部１１３は、乗車駅、降車駅、経路、情報配信サーバ１２０のアドレス等の情報をＱＲコード化する（ステップＳ１７）。
【００６７】
制御部１１３は、プリンタ制御部１１７１を制御してプリンタ１１７２に、図５に示されるような、上記のＱＲコードが印刷されたＱＲコード付乗車券を発券させる（ステップＳ１８）。
【００６８】
次に、携帯端末１００と情報配信サーバ１２０との間で行われる処理について説明する。携帯端末１００は、乗車券のＱＲコードを読み取り、ＱＲコードから情報を抽出し、情報配信サーバ１２０に送信する。また、携帯端末１００は、現在位置を検出し、現在位置情報を情報配信サーバ１２０に送信する。情報配信サーバ１２０は、乗車駅と降車駅と経路と現在位置情報とに対応した乗換情報を検索し、携帯端末１００に送信する。携帯端末１００は、検索された乗換情報を受信し、表示する。図９は、携帯端末１００と情報配信サーバ１２０との間で行われる処理を示すシーケンス図である。
【００６９】
先ず、ユーザが携帯端末１００に操作部１０７を介して乗車券のＱＲコードを読み取るように指示すると、制御部１０５は、ＱＲコード読み取り部１０４１を制御して、ＱＲコード付乗車券のＱＲコードを読み取る（ステップＳ１０１）。
【００７０】
次に、制御部１０５は、読み取ったＱＲコードの解析を行い、乗車駅と降車駅と経路と情報配信サーバ１２０のアドレスとを示す情報を抽出する（ステップＳ１０２）。
【００７１】
それから、制御部１０５は、抽出した情報配信サーバ１２０のアドレスを使用し、通信制御部１０３２を制御して、乗車駅と降車駅と経路とを示す情報を情報配信サーバ１２０へ送信する（ステップＳ１０３）。
【００７２】
情報配信サーバ１２０の制御部１２１は、乗車駅と降車駅と経路とを示す情報を受信する（ステップＳ１０４）。それから、制御部１２１は、通信制御部１２３を制御して、携帯端末１００に現在位置情報を要求する（ステップＳ１０５）。
【００７３】
携帯端末１００の制御部１０５は、情報配信サーバ１２０から現在位置情報の要求を受信する（ステップＳ１０６）。制御部１０５は、ＧＰＳ受信部１０１１を制御してＧＰＳ信号を受信し、ＧＰＳ入力部１０１２を制御してＧＰＳ信号を復調処理する。制御部１０５は、復調処理されたＧＰＳ信号を取得し、ＧＰＳ信号から現在位置を検出する（ステップＳ１０７）。
【００７４】
制御部１０５は、通信制御部１０３２を制御して、情報配信サーバ１２０に現在位置情報を送信する（ステップＳ１０８）。情報配信サーバ１２０の制御部１２１は、現在位置情報を受信する（ステップＳ１０９）。
【００７５】
制御部１２１は、乗車駅と降車駅と経路と現在位置とに対応した乗換情報を乗換路線情報データベース１２４から検索する（ステップＳ１１０）。制御部１２１は、通信制御部１２３を制御して、検索した乗換情報を携帯端末１００に送信する（ステップＳ１１１）。
【００７６】
携帯端末１００の制御部１０５は、検索された乗換情報を受信する（ステップＳ１１２）。制御部１０５は、出力制御部１０２２を制御して、受信した乗換情報を出力装置１０２１に出力する（ステップＳ１１３）。
【００７７】
以上説明したように、本発明の第１の実施形態に係る乗換案内提供システム１０００は、ユーザの現在位置に対応した乗換情報をユーザに提供することができる。また、検索の際に、乗車駅、降車駅、経路等の入力の必要がない。
【００７８】
（第２の実施形態）
第１の実施形態では、携帯端末１００が乗車駅、降車駅、経路等の情報と現在位置情報とを別々に情報配信サーバ１２０に送信していたが、携帯端末１００が乗車駅、降車駅、経路等の情報と現在位置情報とを一括して情報配信サーバ１２０に送信するようにしてもよい。
【００７９】
第２の実施形態に係るシステムの構成は、第１の実施形態と同様である。また、第２の実施形態に於けるデータベース更新処理と乗車券販売処理は第１の実施形態と同様である。図１０は、第２の実施形態において携帯端末１００と情報配信サーバ１２０との間で行われる処理を示すシーケンス図である。ここで、図１０に示すシーケンス図の説明を行う。
【００８０】
先ず、ユーザの指示に応答して、携帯端末１００はＱＲコードを読み取る（ステップＳ２０１）。
【００８１】
次に、制御部１０５は、読み取ったＱＲコードの解析を行い、乗車駅と降車駅と経路と情報配信サーバ１２０のアドレスとを示す情報を抽出する（ステップＳ２０２）。
【００８２】
制御部１０５は、ＧＰＳ受信部１０１１を制御してＧＰＳ信号を受信し、ＧＰＳ入力部１０１２を制御してＧＰＳ信号を復調処理する。制御部１０５は、復調処理されたＧＰＳ信号を取得し、ＧＰＳ信号から現在位置を検出する（ステップＳ２０３）。
【００８３】
それから、制御部１０５は、抽出した情報配信サーバ１２０のアドレスを使用し、通信制御部１０３２を制御して、乗車駅と降車駅と経路と現在位置とを示す情報を情報配信サーバ１２０へ送信する（ステップＳ２０４）。
【００８４】
情報配信サーバ１２０の制御部１２１は、乗車駅と降車駅と経路と現在位置とを示す情報を受信する（ステップＳ２０５）。
【００８５】
制御部１２１は、受信した乗車駅と降車駅と経路と現在位置とを示す情報に対応した乗換情報を乗換路線情報データベース１２４から検索する（ステップＳ２０６）。制御部１２１は、通信制御部１２３を制御して、検索した乗換情報を携帯端末１００に送信する（ステップＳ２０７）。
【００８６】
携帯端末１００の制御部１０５は、検索された乗換情報を受信する（ステップＳ２０８）。制御部１０５は、出力制御部１０２２を制御して、受信した乗換情報を出力装置１０２１に出力する（ステップＳ２０９）。
【００８７】
第２の実施形態によると、携帯端末１００は、乗車駅、降車駅、経路等の情報と現在位置情報とをあわせて情報配信サーバ１２０に送信するため、第１の実施形態と較べて処理を迅速にすることができる。
【００８８】
（第３の実施形態）
第１と第２の実施形態では、乗換情報を閲覧するために携帯端末１００が用いられていたが、図１１に示されるように、各駅構内などの特定の場所に設置される設置端末１４０が用いられてもよい。第３の実施形態において、設置端末１４０は、有線を介してネットワーク１３０と接続されており、プリンタを備えている。ユーザは、検索された乗換情報をプリンタで印刷するようにしてもよい。
【００８９】
第３の実施形態において、図４に示すように、情報配信サーバ１２０は、制御部１２１と、記憶部１２２と、通信制御部１２３と、乗換路線情報データベース１２４と、時刻表データベース１２５と、位置データベース１２６と、から構成される。位置データベース１２６は、設置端末１４０の設置されている位置の情報を記憶し、その位置情報は、設置端末の番号と対応している。その他の構成については、第１の実施形態と同様である。
【００９０】
図１２は、設置端末１４０と情報配信サーバ１２０との間で行われる処理を示すシーケンス図である。
【００９１】
ここで、実際の動作を説明する。設置端末１４０は、ユーザの操作によりＱＲコード付乗車券のＱＲコードを読み取ると（ステップＳ３０１）、読み取ったＱＲコードを解析し、乗車駅、降車駅、経路、情報配信サーバ１２０のアドレス等の情報を抽出する（ステップＳ３０２）。
【００９２】
それから、設置端末１４０は、情報配信サーバ１２０のアドレスを使用して、情報配信サーバ１２０に乗車駅、降車駅、経路、設置端末１４０の番号等の情報を送信する（ステップＳ３０３）。情報配信サーバ１２０は、乗車駅、降車駅、経路、設置端末１４０の番号等の情報を受信し（ステップＳ３０４）、設置端末１４０の番号に対応する位置の情報を呼び出す（ステップＳ３０５）。
【００９３】
情報配信サーバ１２０は、乗車駅、降車駅、経路、設置端末位置の情報に対応する乗換情報を検索し（ステップＳ３０６）、検索した乗換情報を設置端末１４０に送信する（ステップＳ３０７）。設置端末１４０は、検索された乗換情報を受信し（ステップＳ３０８）、乗換情報を表示、又は、印刷する（ステップＳ３０９）。
【００９４】
なお、データベース更新処理と乗車券販売処理については第１と第２の実施形態と同様である。
【００９５】
第３の実施形態によると、情報配信サーバ１２０は設置端末１４０の番号に対応する位置情報を予め記憶しており、その位置情報を使用して乗換情報を検索する。そのため、第１と第２の実施形態と較べて処理を迅速にすることができる。また、検索結果の乗換情報を印刷することができる。
【００９６】
以上説明したように、本発明の実施形態に係る乗換案内提供システムによれば、ユーザの現在位置に対応した乗換情報をユーザに提供することができる。また、ＱＲコードの採用により、検索の際に入力の手間を省くことができる。なお、本発明の第１と第２の実施形態では、端末の現在位置を検出するためにＧＰＳ方式を使用したが、ＧＰＳ方式に限定されるものではなく、無線基地局の電波強度による位置検出方式や無線基地局からの信号到達時間による位置検波方式等を使用してもよい。
【００９７】
また、本発明の実施形態では、乗車券販売機が乗車券を発券する際に、ユーザは乗車駅と経路と降車駅とを選択した。しかし、乗車券販売機が各駅に設置されている場合、乗車駅は乗車券販売機が設置されている駅であり、各乗車駅を示す情報を各乗車券販売機に記憶させておき、ユーザは経路と降車駅のみを選択し、乗車券販売機はユーザが選択した経路と降車駅と乗車券販売機自身が記憶している乗車駅と情報配信サーバのアドレスとのＱＲコードが印刷された乗車券を発券するようにしてもよい。
【００９８】
また、本発明の実施形態では、情報配信サーバは、乗車駅と経路と降車駅と現在位置とに対応する乗換情報を検索したが、検索をするのに必要最低限の情報は降車駅と現在位置である。そこで、乗車券販売機は乗車券に降車駅と情報配信サーバのアドレスとのＱＲコードを印刷するようにし、携帯端末はそのＱＲコードを読み取り、情報配信サーバに降車駅と現在位置の情報を送信し、降車駅と現在位置に対応する乗換情報を検索するようにしてもよい。
【００９９】
また、情報配信サーバは、乗車駅と降車駅と現在位置に対応する乗換情報を検索するようにしてもよい。その際、例えば、乗車券販売機は乗車券に乗車駅と降車駅と情報配信サーバのアドレスとのＱＲコードを印刷するようにし、携帯端末はそのＱＲコードを読み取り、情報配信サーバに乗車駅と降車駅と現在位置の情報を送信するようにする。
【０１００】
また、情報配信サーバは、経路と降車駅と現在位置に対応する乗換情報を検索するようにしてもよい。その際、例えば、乗車券販売機は乗車券に経路と降車駅と情報配信サーバのアドレスとのＱＲコードを印刷するようにし、携帯端末はそのＱＲコードを読み取り、情報配信サーバに経路と降車駅と現在位置の情報を送信するようにする。
【０１０１】
また、本発明の実施形態では、乗車券に乗車駅等と情報配信サーバのアドレスとのＱＲコードを印刷したが、ＱＲコードに限定されるものではなく、ＱＲコード以外の二次元コードや一次元コードや他の形式のコードを印刷し、それを携帯端末に読み取らせるようにしてもよい。また、コードの印刷に限定されるものでもなく、コードをエンボス加工し、それを携帯端末に読み取らせてもよいし、コードを磁気記録で形成し、それを携帯端末に読み取らせてもよい。
【図面の簡単な説明】
【０１０２】
【図１】本発明の第１と第２の実施形態に係る乗換案内提供システムの構成を示す図である。
【図２】携帯端末の構成を示す図である。
【図３】乗車券販売機の構成を示す図である。
【図４】情報配信サーバの構成を示す図である。
【図５】ＱＲコード付乗車券の一例を示す図である。
【図６】乗換情報を表示した画面の一例を示す図である。
【図７】データベース更新処理を説明するためのフローチャートである。
【図８】乗車券販売処理を説明するためのフローチャートである。
【図９】第１の実施形態に於ける携帯端末と情報配信サーバとの間で行われる処理を説明するためのシーケンス図である。
【図１０】第２の実施形態に於ける携帯端末と情報配信サーバとの間で行われる処理を説明するためのシーケンス図である。
【図１１】本発明の第３の実施形態に係る乗換案内提供システムの構成を示す図である。
【図１２】第３の実施形態に於ける設置端末と情報配信サーバとの間で行われる処理を説明するためのシーケンス図である。
【符号の説明】
【０１０３】
１００    携帯端末
１１０    乗車券販売機
１２０    情報配信サーバ
１３０    ネットワーク
１４０    設置端末
【図１】
2007334544.tif 000003
【図２】
2007334544.tif 000004
【図３】
2007334544.tif 000005
【図４】
2007334544.tif 000006
【図５】
2007334544.tif 000007
【図６】
2007334544.tif 000008
【図７】
2007334544.tif 000009
【図８】
2007334544.tif 000010
【図９】
2007334544.tif 000011
【図１０】
2007334544.tif 000012
【図１１】
2007334544.tif 000013
【図１２】
2007334544.tif 000014